(57)【要約】【課題】直流給電の有利な点を生かしつつ、ユーザにとって使用性が良好な直流給電システムを提供することを目的とする。【解決手段】本発明は、直流電圧を供給する直流給電手段と、この直流給電手段から負荷までの給電路中に設けられた前記直流電圧を電圧の異なる複数の直流電圧に変換する電圧変換手段４と、この電圧変換手段４によって変換される所定の直流電圧を設定できる電圧設定手段５とを備えていることを特徴とする直流給電システムである。【選択図】図２
2010288387.tif 000002
【特許請求の範囲】
【請求項１】
直流電圧を供給する直流給電手段と；
この直流給電手段から負荷までの給電路中に設けられた前記直流電圧を電圧の異なる複数の直流電圧に変換する電圧変換手段と；
この電圧変換手段によって変換される所定の直流電圧を設定できる電圧設定手段と；
を具備していることを特徴とする直流給電システム。
【請求項２】
商用交流電源と；
この商用交流電源が接続され、その交流電力に基づいて、少なくとも２種類の電源電圧を供給する制御手段と；
この制御手段から負荷までの給電路中に設けられた前記制御手段より供給された少なくとも２種類の電源電圧から交流電圧と直流電圧とを分離して取出す取出し手段と；
取出された直流電圧を電圧の異なる複数の直流電圧に変換する電圧変換手段と；
この電圧変換手段によって変換される所定の直流電圧を設定できる電圧設定手段と； 
を具備していることを特徴とする直流給電システム。
【請求項３】
直流電圧を供給する直流給電手段と；
この直流給電手段に接続された複数の給電路と；
前記直流給電手段から負荷までの複数の給電路中のそれぞれに設けられた前記直流電圧を電圧の異なる複数の直流電圧に変換する電圧変換手段と；
この電圧変換手段によって変換される所定の直流電圧を設定できる電圧設定手段と； 
を具備していることを特徴とする直流給電システム。
【発明の詳細な説明】
【技術分野】
【０００１】
本発明は、直流電力の給電に際し、使用する直流機器に対応した電圧を得ることができる直流給電システムに関する。
【背景技術】
【０００２】
現在、家庭用の商用系統電源は交流であり、また、オフィスや店舗の電源も交流が使われていることが多い。また、太陽光発電等で直流電力を自家発電した場合も直流電力を一度交流に変換し、それから各機器に供給している。
【０００３】
しかしながら、近時のテレビ、パソコン、電話機、ゲーム機等のディジタル家電を始めとする家庭で用いられる電化製品は、ほとんどが機器の内部で一度交流から直流に変換され駆動するようになっている。専ら交流で駆動するのは、商用周波数点灯型の白熱電灯、ジュール熱を用いる電気ポットや交流電動機を用いる掃除機、扇風機等に限られる。したがって、電化製品の多くでは、交流から直流に変換するため変換ロスが生じている。また、ノート型パソコン等では、交流から直流に変換するためＡＣアダプタを用いるようになっており、このＡＣアダプタは一般的には変換効率が悪いので変換ロスが大きく、さらに、取扱い上、邪魔になる等の不便も生じている。
【０００４】
ところで、このような交流から直流に変換することによる変換ロスを低減するため、機器への電力供給を直流で行う直流給電の利点が再認識され、直流給電の試みが進められている。
【０００５】
一方、商用交流電力を直流電力に変換し、この直流電力を直流系機器ユニットに給電する直流配電システムが提案されている（特許文献１、特許文献２及び特許文献３参照）。
【先行技術文献】
【特許文献】
【０００６】
【特許文献１】特開２００８−４２９９８号公報
【特許文献２】特開２００８−４３０００号公報
【特許文献３】特開２００８−４３００１号公報
【発明の概要】
【発明が解決しようとする課題】
【０００７】
しかしながら、特許文献１、特許文献２及び特許文献３に示されたものは、単に、商用交流電力を直流電力に変換する技術的開示があるにとどまり、使用する機器に対応するため、直流電圧を電圧の異なる複数の直流電圧に変換し、この直流電圧を設定できるものではない。したがって、使用する機器に対応する着目がなされておらず、これに対する具体的な技術的手段が示されていない。
【０００８】
本発明は、上記課題に鑑みなされたもので、直流給電の有利な点を生かしつつ、ユーザにとって使用性が良好な直流給電システムを提供することを目的とする。
【課題を解決するための手段】
【０００９】
請求項１に記載の直流給電システムは、直流電圧を供給する直流給電手段と；この直流給電手段から負荷までの給電路中に設けられた前記直流電圧を電圧の異なる複数の直流電圧に変換する電圧変換手段と；この電圧変換手段によって変換される所定の直流電圧を設定できる電圧設定手段と；を具備していることを特徴とする。
【００１０】
本発明及び以下の発明において、特に指定しない限り用語の定義及び技術的意味は次による。直流給電手段には、例えば、太陽光発電機等の直接的に直流電圧を供給する手段や商用交流電源を整流して直流電圧として供給するＡＣ／ＤＣコンバータ等が含まれ、発電源によって規定されるものではない。
【００１１】
請求項２に記載の直流給電システムは、商用交流電源と；この商用交流電源が接続され、その交流電力に基づいて、少なくとも２種類の電源電圧を供給する制御手段と；この制御手段から負荷までの給電路中に設けられた前記制御手段より供給された少なくとも２種類の電源電圧から交流電圧と直流電圧とを分離して取出す取出し手段と；取出された直流電圧を電圧の異なる複数の直流電圧に変換する電圧変換手段と；この電圧変換手段によって変換される所定の直流電圧を設定できる電圧設定手段と；を具備していることを特徴とする。
【００１２】
２種類の電源電圧を供給するとは、例えば、直流電圧に交流電圧が重畳して供給される場合や電圧の異なる２つの交流電圧がそれぞれ別の給電路で供給される場合が含まれる。制御手段とは、例えば、交流／直流重畳回路等であり、少なくとも２種類の電源電圧を供給する手段であれば、特定の回路に限定されるものではない。また、取出し手段とは、例えば、交流／直流分離回路等であるが、交流電圧と直流電圧とを分離して取出すことができる手段であればよく、格別限定されるものではない。
【００１３】
請求項３に記載の直流給電システムは、直流電圧を供給する直流給電手段と；この直流給電手段に接続された複数の給電路と；前記直流給電手段から負荷までの複数の給電路中のそれぞれに設けられた前記直流電圧を電圧の異なる複数の直流電圧に変換する電圧変換手段と；この電圧変換手段によって変換される所定の直流電圧を設定できる電圧設定手段と；を具備していることを特徴とする。このような構成により、複数の給電路を負荷に応じて所定の電圧に設定することが可能となる。
【発明の効果】
【００１４】
請求項１に記載の発明によれば、エネルギの変換ロスが低減でき、また、機器の規定電圧に対応した電圧が設定できるのでユーザにとって使用性が良好な直流給電システムを提供することができる。
【００１５】
請求項２に記載の発明によれば、商用交流電源を用いるので、直流で駆動する機器及び交流で駆動する機器の双方に対応して使用することが可能となる。また、直流で駆動する機器については、規定電圧に対応した電圧が設定できる。
【００１６】
請求項３に記載の発明によれば、複数の給電路について、機器の規定電圧に対応した電圧が設定できるのでユーザにとって使用性が良好な直流給電システムを提供することができる。
【図面の簡単な説明】
【００１７】
【図１】本発明の第１の実施形態に係る直流給電システムを示す概略の構成図である。
【図２】同直流給電システムを示すブロック構成図である。
【図３】同コンセントボックスを示す正面図である。
【図４】同電圧設定手段の変形例１及び変形例２を示す正面図である。
【図５】同電圧設定手段の変形例３を示すブロック図である。
【図６】本発明の第２の実施形態に係る直流給電システムを示すブロック構成図である。
【図７】同コンセントボックスを示す正面図である。
【図８】本発明の第３の実施形態（実施例１）に係る直流給電システムを示すブロック図である。
【図９】同直流給電システムを示す回路図である。
【図１０】同アダプタを示す斜視図である。
【図１１】本発明の第３の実施形態（実施例２）に係る直流給電システムを示すブロック図である。
【図１２】本発明の第３の実施形態（実施例３）に係る直流給電システムの一部を示す斜視図である。
【図１３】本発明の第４の実施形態（実施例１）に係る直流給電システムを示すブロック構成図である。
【図１４】本発明の第４の実施形態（実施例２）に係る直流給電システムを示すブロック構成図である。
【図１５】本発明の第５の実施形態に係る直流給電システムを示すブロック構成図である。
【発明を実施するための形態】
【００１８】
以下、本発明の第１の実施形態に係る直流給電システムについて図１乃至図５を参照して説明する。なお、各図において、同一又は相当部分には、同一符号を付し重複した説明は省略する。
【００１９】
図１に示すように、この直流給電システムは、独立系の給電システムであり、直流発電手段として家屋の屋根に設置された太陽電池アレイ１、この太陽電池アレイ１に接続された接続箱２、制御盤３、この制御盤３に接続された電圧変換手段４、さらに、この電圧変換手段４に接続された電圧設定手段５を備えている。また、制御盤３には、蓄電手段としてアルカリ蓄電池６が接続されており、給電路の末端には、負荷として例えば、ＬＥＤ照明器具Ｌ、エアコンＡ及びパソコンＰＣが接続されている。なお、エアコンＡの給電路には、補助電源として屋外に設置された燃料電池７が接続されている。
【００２０】
太陽電池アレイ１は、複数の太陽電池モジュールを並べて接続したものであり、太陽電池モジュールは、複数のセルを配列して屋外で利用できるように樹脂や強化ガラスで封止して構成したものである。この太陽電池アレイ１は、太陽光発電機であり、太陽の光エネルギを直接電気に変換し直流電力を発生させる機能を有する。
【００２１】
接続箱２は、太陽電池アレイ１からの出力を電気的に束ねて集電するものであり、避雷素子や太陽電池アレイ１に電流が逆流しないようにする逆流防止用のダイオード等が内蔵されている。接続箱２が接続された制御盤３は、システム全体の制御を実行するもので、制御部、ブレーカ等を備え、電力の監視や蓄電池６の電力制御等を行うようになっている。
【００２２】
電圧変換手段４は、制御盤３を通じて太陽電池アレイ１から給電される直流電力を電圧の異なる複数の所定の電圧に変換するもので、例えば、ＤＣ−ＤＣコンバータから構成されている。
【００２３】
この電圧変換手段４に接続された電圧設定手段５は、例えば、コンセントボックスであり、このコンセントボックスには、電圧の異なる複数の直流電圧が供給される接続端子としてコンセントがその電圧に応じて複数個設けられている。
【００２４】
アルカリ蓄電池６は、日射量の少ないときや夜間の太陽電池アレイ１が発電しない場合に、負荷の要求する電力を補うため電力を貯蔵するものである。
【００２５】
次に、図２に示すブロック図において、制御盤３は、制御部３ａを備えており、制御盤３からは４８Ｖの直流電圧が供給されるようになっている。この制御盤３と接続された負荷であるエアコンＡとの給電路には、電圧変換手段４が介在している。この電圧変換手段４は、制御スイッチ４ａを備えており、このスイッチ４ａの動作によって、当該給電路に燃料電池７の接続又は非接続が行われるようになっている。一方、エアコンＡは、直流で駆動する機器であり、制御スイッチ４ａを動作させる制御信号を送信する制御部Ａａが設けられている。
【００２６】
ＬＥＤ照明器具Ｌは、例えば、室内の天井面等に設置されるもので、点灯回路を内蔵し、光源として複数のＬＥＤが用いられて直流で動作するようになっており、制御盤３側とは、速結端子等により接続されて給電路が構成されている。
【００２７】
続いて、電圧変換手段４は、例えば、スイッチング方式のＤＣ−ＤＣコンバータで構成されており、複数の直流電圧を生成するため４個のＤＣ−ＤＣコンバータが用いられている。これらＤＣ−ＤＣコンバータは、供給された４８Ｖの直流電圧をそれぞれ３Ｖ、５Ｖ、９Ｖ、１２Ｖに変換して出力するようになっている。そして、この変換された直流電圧は、各部屋に据付けられたコンセントボックスの接続端子、すなわち、複数配列されたコンセントＣに出力されるようになっている。ここで、仮に、パソコンＰＣの規定電圧が直流５Ｖであれば、ユーザは、パソコンＰＣのプラグを５ＶのコンセントＣに直接接続して使用することができる。また、直流１２Ｖの規定電圧の機器であれば、１２ＶのコンセントＣに接続して使用することができる。３Ｖ、９Ｖについても同様である。
【００２８】
したがって、ユーザは、機器の規定電圧に応じてコンセントＣを選択して所定の直流電圧を設定できるものであり、コンセントボックスは、電圧設定手段４を構成しているものである。なお、電圧変換手段４を介さないで４８Ｖの直流電圧をそのまま供給するためのコンセントＣ1が接続されている。
【００２９】
次に、本実施形態の直流給電システムの動作を主として図２を参照して説明する。太陽電池アレイ１で発生した発電電力が給電経路を介して負荷に供給される。また、この電力は、制御盤３を介して蓄電池６に貯えられる。したがって、日射量の少ないときや夜間等、発電電力が負荷の要求する電力を下回る場合には、蓄電池６から負荷に電力が供給され要求電力を満たすこととなる。
【００３０】
まず、負荷としてエアコンＡが接続されている場合、定常運転時は、制御スイッチ４ａが図示Ｘ接点に接触し、給電路に燃料電池７が介在しないようになっており、エアコンＡは４８Ｖの直流電圧で運転される。しかしながら、始動時等においては、大きな電力を必要とし、４８Ｖでは不足する場合がある。この場合には、エアコンＡの制御部Ａａから電力増加要求の制御信号が電圧変換手段４に送信される。この制御信号により制御スイッチ４ａが動作し、接点が切換わり図示Ｙ接点に接触し、給電路に燃料電池７が接続されるようになる。したがって、大きな電力を必要とする場合には、燃料電池７からの電圧が補充されて４８Ｖにプラスされることとなる。
【００３１】
このように、ここでは燃料電池７及び制御スイッチ４ａを含んで電圧変換手段４が構成され、エアコンＡの制御部Ａａによって電圧設定手段５が構成されている。なお、エアコンＡの制御部Ａａからの制御信号が制御盤３に送信され、これに基づいて電圧変換手段４が動作するように構成してもよい。
【００３２】
次に、前述したように、電圧設定手段５としてのコンセントボックスには、電圧の異なる複数の直流電圧が供給されているコンセントＣが配列されているので、ユーザは、機器の規定電圧に応じて、いずれかのコンセントＣを選択して接続することによって、所定の直流電圧を設定することができる。したがって、機器の規定電圧に対応して直接コンセントＣに接続して機器を使用することが可能となる。
【００３３】
なお、直流発電手段としては、太陽電池アレイに限らず、燃料電池、風力発電やミニ水力発電等が単独又はこれらを混在させて適用することができる。また、電圧変換手段４は、制御盤３の中に配設してもよく、さらに、供給される直流電圧は、４８Ｖに限らず、変換される電圧も３Ｖ、５Ｖ、９Ｖ、１２Ｖに限らない。直流給電システムの利用環境に応じて適宜設定できるものである。
【００３４】
さらにまた、図３に示すように、コンセントボックスのコンセントのプラグ差込口Ｃｓの配列や形状を電圧によって変えるのが好適である。これによって、規定電圧の異なる差込口に接続してしまうような誤接続が解消される。この場合、勿論、機器側のプラグの変更とのマッチングが必要となる。
【００３５】
次に、電圧設定手段５の変形例について図４及び図５を参照して説明する。図４は、コンセントボックスの前面側を示しており、図５は、ブロック図を示している。
【００３６】
（変形例１）図４（ａ）は、コンセントの上側に左右スライド式の操作ノブＫを設け、この操作ノブＫの操作によって、所定の電圧を選択して設定できるようにしたものである。この操作ノブＫは、スナップアクションによって、３Ｖ、５Ｖ、９Ｖ、１２Ｖの各位置でスライドが節度的に停止するようになっている。
【００３７】
したがって、機器の規定電圧に応じて、操作ノブＫを操作し、コンセントＣの電圧を３Ｖ、５Ｖ、９Ｖ、１２Ｖのいずれかに設定し、機器のプラグを接続して規定電圧での使用が可能となる。
【００３８】
（変形例２）図４（ｂ）は、コンセントの上側に左右スライド式の操作ノブＫを設けた点では、前記変形例１と同じであるが、スライドのストローク間において、例えば、３Ｖ〜１２Ｖの間において任意に電圧を設定できるようにしたものである。したがって、複数の電圧を任意に設定できるものであり、機器の規定電圧に対応する幅を広くできるものである。この場合は、電圧変換手段４としてのＤＣ−ＤＣコンバータは可変出力式のものを適用するのが好ましい。なお、電圧の設定状態が分るように、電圧値が表示されるインジケータＩｃが設けられている。
【００３９】
（変形例３）図５に示すように、直流で駆動する機器をコンセントＣ等の接続端子に接続した場合に、その機器の規定電圧に応じて自動的に接続端子に供給電圧を出力するものである。例えば、図に示すように、本変形例は、電圧変換回路、動作電圧判定回路及び負荷電流検出回路を備えている。そして、直流機器をコンセントＣに接続した場合、直流機器に流れる負荷電流の有無等を負荷電流検出回路によって検出する。次いで、負荷電流検出回路の検出結果に応じて動作電圧判定回路によって出力電圧を決定する。本変形例によれば、負荷を接続することにより自動的に直流電圧が設定できるので、電圧設定の煩わしさが解消できる。
【００４０】
以上のように本実施形態によれば、エネルギの変換ロスが低減でき、また、機器の規定電圧に対応した電圧が設定できるのでユーザにとって便利であり、使用性が良好な直流給電システムを提供することができる。
【００４１】
次に、本発明の第２の実施形態に係る直流給電システムについて図６及び図７を参照して説明する。なお、第１の実施形態と同一又は相当部分には、同一符号を付し重複した説明は省略する。
【００４２】
図６に示すように、本実施形態では、第１の実施形態の直流発電手段としての太陽電池アレイ１に加え、交流の商用系統電力１０を電源系統として接続するものである。したがって、直流と交流の２系統の電力が給電される。交流の電力は、制御盤３を通じてコンセントＣ等の接続端子に給電される。
【００４３】
なお、図７に示すように、コンセントボックスには、直流用ＤＣと交流用ＡＣのコンセントＣを区分けして配列するようにしてもよい。
【００４４】
本実施形態によれば、直流で駆動する機器及び交流で駆動する機器の双方に対応して使用することが可能となる。例えば、交流で駆動する機器と直流で駆動する機器とが混在する場合において有効な給電システムとなる。
【００４５】
続いて、本発明の第３の実施形態に係る直流給電システムについて図８乃至図１２を参照して説明する。なお、第１の実施形態と同一又は相当部分には、同一符号を付し重複した説明は省略する。本実施形態は、直流電圧と交流電圧の双方を供給するものである。
【００４６】
（実施例１）図８に示すように、直流給電システムは、交流の商用系統電力１０に接続された制御盤３、この制御盤２にコンセントＣ等の接続端子を介して接続されたアダプタ１１を備えている。制御盤３は、システム全体の制御を実行するもので、制御部３ａ、交流／直流重畳回路３ｂが設けられている。交流／直流重畳回路３ｂは、商用系統電力１０から給電される交流電力を整流して生成した直流電圧に交流電圧を重畳して図示ａのような波形で出力する。
【００４７】
アダプタ１１には、交流／直流分離回路１２、この交流／直流分離回路１２の直流側端子に接続された電圧変換手段４及び電圧設定手段５が設けられている。交流／直流分離回路１２は、直流電圧に交流電圧が重畳された図示ａの波形から直流電圧と交流電圧とを分離し取出すものである（図示ｂ、ｃ）。取出された直流電圧は、第１の実施形態と同様な電圧変換手段４及び電圧設定手段５へと出力される。一方、交流電圧は、そのままアダプタのコンセント等へ出力される。したがって、直流で駆動する機器及び交流で駆動する機器の双方に対応して使用することができる。
【００４８】
交流／直流分離回路１２は、基本的には、図９に示すように、インダクタLとキャパシタｃを用いて構成されている。直流側の電圧変換手段４には、インダクタLを介して直流電圧に交流電圧が重畳された電圧源が接続されており、交流側の接続端子にはキャパシタｃを介して同様に電圧源が接続されている。そして、インダクタLは、直流成分に対しては、低インピーダンスであり、交流成分に対しては高インピーダンスであるから、直流側の電圧変換手段４には直流電圧を取出すことができ（図８、ｂ）、反対にキャパシタｃは、直流成分に対しては、高インピーダンスであり、交流成分に対しては低インピーダンスであるから、交流側の接続端子には交流電圧を取出すことができる（図８、ｃ）。
【００４９】
このように構成されたアダプタ１１には、前記交流／直流分離回路１２、電圧変換手段４及び電圧設定手段５が内蔵されており、図１０に示すように、前面側に、直流用ＤＣと交流用ＡＣのコンセントＣ2を備えており、背面側には、壁面等に据付けられたコンセントＣに接続される差込プラグ（図示しない）が設けられている。また、直流用ＤＣのコンセントＣ2の上側には、スライド式の操作ノブＫが設けられており、所定の電圧を選択して設定できるようになっている。
【００５０】
このような構成によれば、コンセントＣ等の接続端子には、直流電圧に交流電圧が重畳された電圧が供給されており、アダプタ１１を接続することにより、この電圧から直流電圧と交流電圧とを取出すことができ、また、直流電圧は、複数の所定の電圧に設定できる。したがって、商用系統電力１０を用いて直流で駆動する機器及び交流で駆動する機器の双方に対応して使用することが可能となる。
【００５１】
なお、商用系統電力１０を用いて直流電圧を取出す場合、例えば、同じ位相であって電圧の異なる２種類の交流電圧を生成し、この２種類の交流電圧の差分から直流電圧を分離して取出すようにしてもよい。この場合にも直流電圧と交流電圧を取出すことが可能である。
【００５２】
（実施例２）図１１に示すように、本実施例では、交流／直流分離回路１２、電圧変換手段４及び電圧設定手段５をコンセントボックスに設けたものである。コンセントボックスは壁面等に埋め込まれるため、前面側には、直流用ＤＣと交流用ＡＣのコンセントＣ及び電圧設定手段５としてのスライド式の操作ノブＫが現れることとなる。したがって、これらコンセントＣに直流で駆動する機器及び交流で駆動する機器を接続することにより、双方に対応して使用することが可能となる。
【００５３】
（実施例３）図１２に示すように、直流で駆動する機器としてパソコンＰＣが示されている。このパソコンＰＣには、交流／直流分離回路１２及び電圧変換手段４が内蔵されている。したがって、パソコンＰＣを直流電圧に交流電圧が重畳された電圧が供給されているコンセントＣに接続すると、交流／直流分離回路１２によって、直流電圧が取出され、電圧変換手段４によって規定電圧に変換され、パソコンＰＣ内のシステムに供給されるようになる。
【００５４】
次に、本発明の第４の実施形態に係る直流給電システムについて図１３及び図１４を参照して説明する。なお、第１の実施形態と同一又は相当部分には、同一符号を付し重複した説明は省略する。
【００５５】
（実施例１）図１３に示すように、直流給電システムは、交流の商用系統電力１０に接続された制御盤３を備えており、この制御盤３からは、直流の電力と交流の電力とが給電されるようになっている。制御盤３には、制御部３ａ、交流／直流変換手段１３としてのＡＣ−ＤＣコンバータが設けられている。また、電圧変換手段４としてのＤＣ−ＤＣコンバータ及び電圧設定手段５が複数の給電路のそれぞれに設けられている。そして、直流給電路の末端には、負荷としてＬＥＤ照明器具Ｌ、パソコンＰＣが接続されている。一方、交流給電路の末端には、白熱電灯Ｉ、電気ポットＰが接続されている。
【００５６】
このような構成によれば、商用系統電力１０からの交流電力は、交流／直流変換手段１３としてのＡＣ−ＤＣコンバータで所定の直流電圧に変換される。具体的には、例えば、４８Ｖの直流電圧に変換される。さらに、この直流電圧は、電圧設定手段５の設定によってＤＣ−ＤＣコンバータで所定の電圧に変換される。電圧設定手段５は、前記４８Ｖの電圧を０〜４８Ｖの間で段階的に、又は任意に設定できるものであり、給電路に接続する負荷に応じて適宜設定するものである。例えば、負荷がＬＥＤ照明器具Ｌであれば、その給電路は４８Ｖに設定し、負荷がパソコンＰＣであれば、その給電路は５Ｖに設定する。
【００５７】
以上のように本実施形態によれば、商用系統電力１０を用いて直流で駆動する機器及び交流で駆動する機器の双方に対応して使用することが可能となる。また、複数の給電路を負荷に応じて所定の電圧に設定することができる。
【００５８】
（実施例２）図１４に示すように、本実施例では、実施例１における制御盤３の部分を主として交流電力供給に関係する部分である制御盤３と直流電力供給に関係する部分である直流ユニット１４に分割したものである。制御盤３には、制御部３ａ、ブレーカ等が配設され、直流ユニット１４には、交流／直流変換手段１３としてのＡＣ−ＤＣコンバータ、電圧変換手段４、電圧設定手段５等が配設される。
【００５９】
本実施例によっても実施例１と同様な効果を奏するものであり、また、直流ユニット１４の設置場所の自由度が広がるものである。
【００６０】
次に、本発明の第５の実施形態に係る直流給電システムについて図１５を参照して説明する。なお、第１の実施形態と同一又は相当部分には、同一符号を付し重複した説明は省略する。
【００６１】
本実施形態では、太陽電池アレイ１を複数に分割し、例えば、６Ｖごとの発電電圧を発生するようにしたものであり、この電圧は、制御盤３内の電圧変換手段で合成されたり、降圧されたりして電圧変換され、また、この変換された電圧を電圧設定手段によって給電路に接続する負荷に応じて適宜供給できるようにしたものである。本実施形態によっても所期の効果を奏することが可能となる。
【００６２】
なお、本発明は、上記各実施形態の構成に限定されることなく、発明の要旨を逸脱しない範囲で種々の変形が可能である。
【符号の説明】
【００６３】
１・・・太陽電池アレイ、４・・・電圧変換手段（ＤＣ−ＤＣコンバータ）、
５・・・電圧設定手段（コンセントボックス等）、１０・・・商用系統電力
【図１】
2010288387.tif 000003
【図２】
2010288387.tif 000004
【図３】
2010288387.tif 000005
【図４】
2010288387.tif 000006
【図５】
2010288387.tif 000007
【図６】
2010288387.tif 000008
【図７】
2010288387.tif 000009
【図８】
2010288387.tif 000010
【図９】
2010288387.tif 000011
【図１０】
2010288387.tif 000012
【図１１】
2010288387.tif 000013
【図１２】
2010288387.tif 000014
【図１３】
2010288387.tif 000015
【図１４】
2010288387.tif 000016
【図１５】
2010288387.tif 000017